(57)【特許請求の範囲】
【請求項１】
記録媒体から情報信号の読出しアクセスを行なうアクセス手段と、上記アクセス手段の上記記録媒体の同一の記録単位領域に対するアクセス頻度を計数し、アクセス頻度の高い記録単位領域を検出する検出手段と、所定値範囲内の値を有する乱数を発生する乱数発生手段と、上記アクセス手段が、上記検出手段によって検出された上記アクセス頻度の高い記録単位領域をアクセスした後に、上記乱数発生手段で得た乱数に応じて、上記アクセス手段を上記記録媒体上の他の記録単位領域へ即時に移動させる移動手段とを備えると共に、
上記アクセス手段が情報信号の読出しのため記録単位領域をアクセスしてからの時間を計るタイマー手段を更に有し、上記移動手段は、上記タイマー手段が所定時間経過したことを検出した際に、上記アクセス手段を上記記録媒体のユーザーデータ領域以外の領域に移動させることを特徴とする再生装置。
【請求項２】
上記乱数発生手段は、所定時間毎に乱数を発生し、上記移動手段は、上記乱数発生手段が乱数を発生する毎に、上記アクセス手段を上記乱数に基づく記録単位領域に移動させることを特徴とする請求項１記載の再生装置。
【請求項３】
上記検出手段は、アクセス頻度の最も高い記録単位領域のみを検出することを特徴とする請求項１記載の再生装置。
【請求項４】
上記検出手段は、上記記録媒体に対して所定回数のアクセスが行なわれる毎に、アクセス頻度の高い記録単位領域を検出すると共にアクセス頻度計数をクリアすることを特徴とする請求項１記載の再生装置。
【請求項５】
記録媒体に対し、アクセスを行なって情報信号を記録するアクセス手段と、上記アクセス手段の上記記録媒体の同一の記録単位領域に対するアクセス頻度を計数し、アクセス頻度の高い記録単位領域を検出する検出手段と、所定値範囲内の値を有する乱数を発生する乱数発生手段と、上記アクセス手段が、上記検出手段によって検出された上記アクセス頻度の高い記録単位領域をアクセスした後に、上記乱数発生手段で得た乱数に応じて、上記アクセス手段を上記記録媒体上の他の記録単位領域へ即時に移動させる移動手段とを備えると共に、
上記アクセス手段が情報信号の記録のため記録単位領域をアクセスしてからの時間を計るタイマー手段を更に有し、上記移動手段は、上記タイマー手段が所定時間経過したことを検出した際に、上記アクセス手段を上記記録媒体のユーザーデータ領域以外の領域に移動させることを特徴とする記録装置。
【請求項６】
上記乱数発生手段は、所定時間毎に乱数を発生し、上記移動手段は、上記乱数発生手段が乱数を発生する毎に、上記アクセス手段を上記乱数に基づく記録単位領域に即時に移動させることを特徴とする請求項５記載の記録装置。
【請求項７】
記録媒体に対して情報のアクセスを行なう情報アクセス方法において、以下のステップにて情報をアクセスすることを特徴とする情報アクセス方法。
(a) 記録単位領域をアクセスする。
(b) 記録媒体の同一の記録単位領域に対するアクセス頻度を計数し、アクセス頻度の高い記録単位領域を検出する。
(c) ステップ(b) で検出されたアクセス頻度の高い記録単位領域がアクセスされたことを検出する。
(d) 所定値範囲の値を有する乱数を発生する。
(e) ステップ(b) で検出された上記アクセス頻度の高い記録単位領域をアクセスした後に、上記乱数に応じて、上記記録媒体上の他の記録単位領域へ即時に移動させる。
(f) 所定時間経過したことを検出する。
(g) ユーザーデータ領域以外の領域に移動させる。
【発明の詳細な説明】
【０００１】
【産業上の利用分野】
本発明は、記録媒体から情報信号の読出しを行なう再生装置、記録媒体に対して情報信号の記録を行なう記録装置及び記録媒体に対して情報信号のアクセスを行なう情報アクセス方法に関し、特に、記録媒体として相変化型光ディスクを用いた場合に好適なものである。
【０００２】
【従来の技術】
一般に、光ビームによって情報信号の記録再生を行う記録再生装置において、その記録媒体として使用される円盤状の記録媒体（以下、単に光ディスクと記す）としては、再生専用型の光ディスクと、一回のみ情報信号の書き込みが可能な追記型の光ディスクと、情報信号の記録及び消去が複数回可能な光磁気記録媒体を用いた光ディスクがある。
【０００３】
再生専用型の光ディスクは、記録される情報信号に基づいて凹凸パターン、即ちピットが同心円もしくは螺旋状に形成されたトラックが一方の面に形成されている。具体的には、光透過性を有するポリカーボネートやＰＭＭＡ｛Poly(methyl methacrylate) ｝等のような合成樹脂材料ディスク基板と、このディスク基板の一方の面に形成されたピットを被覆するように形成されたＡｌやＡｕ等の金属からなる反射膜と、この反射膜を保護することを目的として上記反射膜を被覆するように形成された保護層とにより形成されている。
【０００４】
追記型の光ディスクとしては、ピットの高密度形成を達成することができる相変化型光ディスクが提案されている。この相変化型再生専用光ディスクは、表面にピットが形成された透明基板上に、相変化材料膜を形成することにより構成されている。相変化材料膜は、Ｓｂ2 Ｓｅ3 ，Ｓｂ2 Ｔｅ3 ，Ｓｅ，Ｔｅ，ＢｉＴｅ，ＢｉＳｅ，Ｉｎ−Ｓｅ，Ｉｎ−Ｓｂ−Ｔｅ，Ｉｎ−ＳｂＳｅ，Ｉｎ−Ｓｅ−Ｔｌ  ，Ｇｅ−Ｔｅ−Ｓｂ，Ｇｅ−Ｔｅから選ばれる少なくとも１種である。
【０００５】
記録可能型の光ディスクとしては、垂直磁気記録材料を用いた光磁気ディスク等が知られている。
【０００６】
この光磁気ディスクは、光ビームをガイドするための案内溝が一方の面に形成され、光透過性を有するポリカーボネートやＰＭＭＡ等のような合成樹脂材料ディスク基板と、上記案内溝を覆うように形成されたＴｅ、Ｆｅ、Ｃｏ等の垂直磁気記録材料からなる記録層と、この記録層を保護することを目的として上記記録層を被覆するように形成された保護層とにより形成されている。
【０００７】
これらの光ディスクを再生する方法としては、再生専用型及び追記型の光ディスクの場合には、レーザ光源からの光ビームをディスク基板に対物レンズで集束した状態で照射し、この光ディスクのピットにより変調された反射光束を例えばフォトディテクターにより検出し、上記反射光束の光量に応じた信号レベルを有する検出信号を得ることにより、光ディスクに記録された情報信号の再生信号を得るようにしている。
【０００８】
また、後者の記録可能型の光ディスクの場合には、上記再生専用型の光ディスクと同様にして、レーザ光源からの光ビームをディスク基板に対物レンズで集束した状態で照射し、光ディスクの記録層によって変調された反射光束中のカー回転角を検出することによって、光磁気ディスクに記録された情報信号の再生信号を得るようにしている。
【０００９】
【発明が解決しようとする課題】
しかしながら、従来の記録再生装置においては、一定時間以内の周期で同一トラック上のデータを定期的にアクセスされると、光ヘッドがホーム位置に戻らず、結果的に光ヘッドが同一トラック上に留まってしまうことがある。この場合、光ヘッドから出射された再生用のレーザ光が上記同一トラックに長時間照射されることになり、その結果、該トラックの部分が局部的に蓄熱され、光ディスク自体が熱変形するおそれがあった。
【００１０】
この問題を解決するために、光ヘッドを同一トラック上で停止させる時間（「一定時間」）を短くするという方法が考えられるが、光ヘッドのホーム位置への移動頻度が高くなり、通常のアクセス性能を低下させるおそれがある。
【００１１】
このように、光ヘッドのホーム位置への移動頻度と、光ヘッドによるデータのアクセス性能は互いにトレードオフの関係にあり、あらゆる使われ方に対応して両者を満足することは困難であった。
【００１２】
本発明は、上記の課題に鑑みてなされたもので、その目的とするところは、アクセスヘッドの同一位置での長時間停止を事前に回避でき、しかもアクセス速度の高速化を達成することができる再生装置、記録装置及び情報アクセス方法を提供することにある。
【００１３】
本発明の他の目的は、相変化型光ディスクに対する記録再生に適用した場合において、再生用のレーザ光の同一位置への長時間照射に伴う光ディスクの蓄熱を事前に回避することができ、しかも相変化型光ディスクに対するアクセス速度の高速化を達成することができる再生装置、記録装置及び情報アクセス方法を提供することにある。
【００１４】
【課題を解決するための手段】
本発明に係る再生装置は、図１に示すように、記録媒体１から情報信号の読出しアクセスを行なうアクセス手段４と、このアクセス手段４の記録媒体１の同一の記録単位領域に対するアクセス頻度を計数し、アクセス頻度の高い記録単位領域を検出する検出手段４４と、所定値範囲内の値を有する乱数を発生する乱数発生手段と、アクセス手段４が、検出手段４４によって検出されたアクセス頻度の高い記録単位領域をアクセスした後に、上記乱数発生手段で得た乱数に応じて、アクセス手段４を記録媒体上の他の記録単位領域へ即時に移動させる移動手段１３とを備えると共に、アクセス手段４が情報信号の読出しのため記録単位領域をアクセスしてからの時間を計るタイマー手段４２を更に有し、移動手段１３は、タイマー手段４２が所定時間経過したことを検出した際に、アクセス手段４を記録媒体１のユーザーデータ領域以外の領域に移動させる（請求項１記載の発明）。
【００１７】
この場合、上記乱数発生手段を、所定時間毎に乱数を発生し、移動手段１３を、乱数発生手段が乱数を発生する毎に、アクセス手段４を上記乱数に基づく記録単位領域に移動させるように構成してもよい（請求項２記載の発明）。
【００１８】
また、上記構成において、検出手段４４を、アクセス頻度の最も高い記録単位領域のみを検出するように構成してもよい（請求項３記載の発明）。
【００１９】
また、上記構成において、検出手段４４を、記録媒体１に対して所定回数のアクセスが行なわれる毎に、アクセス頻度の高い記録単位領域を検出すると共にアクセス頻度計数をクリアするように構成してもよい（請求項４記載の発明）。
【００２０】
次に、本発明に係る記録装置は、記録媒体１に対し、アクセスを行なって情報信号を記録するアクセス手段４と、このアクセス手段４の記録媒体１の同一の記録単位領域に対するアクセス頻度を計数し、アクセス頻度の高い記録単位領域を検出する検出手段４４と、所定値範囲内の値を有する乱数を発生する乱数発生手段と、アクセス手段４が、検出手段４４によって検出されたアクセス頻度の高い記録単位領域をアクセスした後に、上記乱数発生手段で得た乱数に応じて、アクセス手段４を記録媒体１上の他の記録単位領域へ即時に移動させる移動手段１３とを備えると共に、アクセス手段４が情報信号の記録のため記録単位領域をアクセスしてからの時間を計るタイマー手段４２を更に有し、移動手段１３は、タイマー手段４２が所定時間経過したことを検出した先に、アクセス手段４を記録媒体１のユーザーデータ領域以外の領域に移動させる（請求項５記載の発明）。
【００２３】
この場合、上記乱数発生手段を、所定時間毎に乱数を発生させるように構成し、移動手段１３を、上記乱数発生手段が乱数を発生する毎に、アクセス手段４を上記乱数に基づく記録単位領域に即時に移動させるように構成してもよい（請求項６記載の発明）。
【００２４】
次に、本発明に係る情報アクセス方法は、記録媒体１に対して情報のアクセスを行なう情報アクセス方法において、以下のステップにて情報をアクセスするようにする（請求項７記載の発明）。
(a) 記録単位領域をアクセスする。
(b) 記録媒体１の同一の記録単位領域に対するアクセス頻度を計数し、アクセス頻度の高い記録単位領域を検出する。
(c) ステップ(b) で検出されたアクセス頻度の高い記録単位領域がアクセスされたことを検出する。
(d) 所定値範囲の値を有する乱数を発生する。
(e) ステップ(b) で検出されたアクセス頻度の高い記録単位領域をアクセスした後に、上記乱数に応じて、記録媒体１上の他の記録単位領域へ即時に移動させる。
(f) 所定時間経過したことを検出する。
(g) ユーザーデータ領域以外の領域に移動させる。
【００２６】
【作用】
請求項１記載の本発明に係る再生装置においては、アクセス手段４にて記録媒体１から情報信号の読み出しが行なわれる。このアクセス手段４による情報信号の読み出しにおいて、検出手段４４により、アクセス手段４による記録媒体１の同一の記録単位領域に対するアクセス頻度が計数され、アクセス頻度の高い記録単位領域が検出される。そして、アクセス手段４は、検出手段４４にて検出されたアクセス頻度の高い記録単位領域をアクセスした後に、移動手段１３により、所定値範囲内の値を有する乱数を発生する乱数発生手段で得た乱数に応じて、記録媒体１上の他の記録単位領域へ即時に移動すると共に、更にタイマー手段４２により、アクセス手段４が情報信号の読出しのため記録単位領域をアクセスしてからの時間を計り、タイマー手段４２が所定時間経過したことを検出した際に、移動手段１３により、アクセス手段４を記録媒体１のユーザーデータ領域以外の領域に移動することになる。
【００２７】
即ち、アクセス手段４は、同一位置に停止することがなくなり、例えばアクセス手段４を光学的な手段とした場合に、光照射に伴う記録媒体１への蓄熱が回避され、記録媒体１の熱変形等を防止することができる。また、移動手段１３でのアクセス手段４の移動範囲をアクセス頻度の高い記録単位領域を含む所定値範囲内としているため、アクセス頻度の高い記録単位領域を中心として疑似的に割り付けられた所定領域内で周辺に移動することになり、移動手段１３を簡単な構成を有するアクチュエータにて実現させることができ、構造の簡略化を達成させることができる。さらに、ユーザデータ領域へのアクセス手段４の長時間の停止が防止されることになり、消費電力の低減化及びサーボ系の機械的寿命の長期間化を実現させることが可能となる。
【００３２】
次に、請求項２記載の本発明に係る再生装置においては、アクセス手段４が、アクセス頻度の高い記録単位領域をアクセスした後に、移動手段１３により、乱数発生手段で得た乱数に応じて、記録媒体１上の他の記録単位領域に移動することになることになるが、この場合、乱数発生手段が所定時間毎に乱数を発生し、移動手段１３が、乱数発生手段にて乱数が発生される毎に、アクセス手段４を上記乱数に基づく記録単位領域に移動させることから、アクセス手段４は、アクセス頻度の高い記録単位領域上で揺動することになる。従って、次のアクセスに対するアクセス手段４の移動、並びにこのアクセス頻度の高い記録単位領域へのアクセスが速くなり、アクセス手段４での情報信号の読出し速度の高速化が達成される。
【００３３】
次に、請求項３記載の本発明に係る再生装置においては、アクセス手段４による情報信号の読出し時において、検出手段４４により、アクセス頻度の最も高い記録単位領域のみが検出される。そして、アクセス手段４は、検出手段４４にて検出されたアクセス頻度の最も高い記録単位領域をアクセスした後に、移動手段１３により、乱数発生手段で得た乱数に応じて、記録媒体１上の他の記録単位領域に移動することになる。
【００３４】
即ち、アクセス手段４は、アクセス頻度の最も高い記録単位領域にて停止することがなくなり、例えばアクセス手段４を光学的な手段とした場合に、光照射に伴う記録媒体１への蓄熱が回避され、記録媒体の熱変形等を防止することができる。
【００３５】
次に、請求項４記載の本発明に係る再生装置においては、アクセス手段４による情報信号の読出し時において、アクセス手段４による所定回数のアクセスが行なわれる毎に、検出手段４４により、アクセス頻度の高い記録単位領域が検出されると共にアクセス頻度計数がクリアされることになる。そして、アクセス手段４は、検出手段４４にて検出されたアクセス頻度の高い記録単位領域をアクセスした後に、移動手段１３により、乱数発生手段で得た乱数に応じて、記録媒体１上の他の記録単位領域に移動することになる。
【００３６】
この場合も、アクセス手段４は、アクセス頻度の高い記録単位領域にて停止することがなくなり、例えばアクセス手段４を光学的な手段とした場合に、光照射に伴う記録媒体１への蓄熱が回避され、記録媒体１の熱変形等を防止することができる。また、アクセス手段４がアクセス頻度の高い記録単位領域上で周辺に移動することになるため、次のアクセスに対するアクセス手段４の移動、並びにこのアクセス頻度の高い記録単位領域へのアクセスが速くなり、アクセス手段４での情報信号の読出し速度の高速化が達成されると共に、アクセス頻度の高いトラックアドレスが変化してもすぐに対応できる。
【００３７】
次に、請求項５記載の本発明に係る記録装置においては、記録媒体１に対し、アクセス手段４にて情報信号の記録が行なわれる。このアクセス手段４による情報信号の記録時において、検出手段４４により、アクセス手段４による記録媒体１の同一記録単位領域に対するアクセス頻度が計数され、アクセス頻度の高い記録単位領域が検出される。そして、アクセス手段４は、検出手段４４にて検出されたアクセス頻度の高い記録単位領域をアクセスした後に、移動手段１３により、乱数発生手段で得た所定値範囲内の値を有する乱数に応じて、記録媒体１上の他の記録単位領域に即時に移動することになると共に、更にタイマー手段４２により、アクセス手段４が情報信号の記録のため記録単位領域をアクセスしてからの時間を計り、タイマー手段４２が所定時間経過したことを検出した際に、移動手段１３により、アクセス手段４を記録媒体１のユーザーデータ領域以外の領域に移動することになる。
【００３８】
即ち、アクセス手段４は、同一位置に停止することがなくなり、例えばアクセス手段４を光学的な手段とした場合に、光照射に伴う記録媒体１への蓄熱が回避され、記録媒体１の熱変形等を防止することができる。また、移動手段１３でのアクセス手段４の移動範囲をアクセス頻度の高い記録単位領域を含む所定値範囲内としているため、アクセス頻度の高い記録単位領域を中心として疑似的に割り付けられた所定領域内で周辺に移動することになり、移動手段１３を簡単な構成を有するアクチュエータにて実現させることができ、構造の簡略化を達成させることができる。さらに、ユーザデータ領域へのアクセス手段４の長時間の停止が防止されることになり、消費電力の低減化及びサーボ系の機械的寿命の長期間化を実現させることが可能となる。
【００４３】
次に、請求項６記載の本発明に係る記録装置においては、アクセス手段４が、アクセス頻度の高い記録単位領域をアクセスした後に、移動手段１３により、乱数発生手段で得た乱数に応じて、記録媒体１上の他の記録単位領域に移動することになることになるが、この場合、乱数発生手段が所定時間毎に乱数を発生し、移動手段１３が、乱数発生手段にて乱数が発生される毎に、アクセス手段４を上記乱数に基づく記録単位領域に即時に移動させることから、アクセス手段４は、アクセス頻度の高い記録単位領域上で揺動することになる。従って、次のアクセスに対するアクセス手段４の移動、並びにこのアクセス頻度の高い記録単位領域へのアクセスが速くなり、アクセス手段４での情報信号のアクセス速度の高速化が達成される。
【００４４】
次に、請求項７記載の本発明に係る情報アクセス方法においては、まず、記録単位領域をアクセスする第１の動作と、記録媒体１の同一の記録単位領域に対するアクセス頻度を計数して、アクセス頻度の高い記録単位領域を検出するという第２の動作と、この動作にて検出されたアクセス頻度の高い記録単位領域がアクセスされたことを検出するという第３の動作と、所定値範囲の値を有する乱数を発生するという第４の動作と、第２の動作で検出されたアクセス頻度の高い記録単位領域をアクセスした後に、上記乱数に応じて、記録媒体上の他の記録単位領域へ即時に移動させるという第５の動作と、所定時間経過したことを検出するという第６の動作と、ユーザーデータ領域以外の領域に移動させるという第７の動作とが行なわれ、そして、上記第２の動作で検出されたアクセス頻度の高い記録単位領域をアクセスした後に、上記乱数に応じて、アクセス点が記録媒体１上の他の記録単位領域に移動することになる。
【００４５】
この場合、アクセス点は、アクセス頻度の高い記録単位領域で停止することがなくなり、例えばアクセス方式を光学的な方式とした場合に、光照射に伴う記録媒体１への蓄熱が回避され、記録媒体１の熱変形等を防止することができる。また、移動手段１３でのアクセス手段４の移動範囲をアクセス頻度の高い記録単位領域を含む所定値範囲内としているため、アクセス頻度の高い記録単位領域を中心として疑似的に割り付けられた所定領域内で周辺に移動することになり、移動手段１３を簡単な構成を有するアクチュエータにて実現させることができ、構造の簡略化を達成させることができる。さらに、ユーザデータ領域へのアクセス手段４の長時間の停止が防止されることになり、消費電力の低減化及びサーボ系の機械的寿命の長期間化を実現させることが可能となる。
【００４７】
この場合、アクセス手段４がアクセス頻度の高い記録単位領域にて停止することがなくなり、例えばアクセス手段４を光学的な手段とした場合に、光照射に伴う記録媒体１への蓄熱が回避され、記録媒体１の熱変形等を防止することができる。また、アクセス手段４がアクセス頻度の高い記録単位領域上で揺動することとなるため、次のアクセスに対するアクセス手段４の移動、並びにこのアクセス頻度の高い記録単位領域へのアクセスが速くなり、アクセス手段４での情報信号のアクセス速度の高速化が達成される。
【００４８】
なお、以下の実施例においては、記録媒体１としてディスク状の記録媒体を主体にして説明を行なっているが、この発明における応用範囲は、これに留まらない。即ち、本発明は、アクセスされる記録媒体１とアクセス手段４が存在する装置において、アクセス手段４を同一位置に長期滞留させたくない要求がある場合に、アクセス性能を低下させずに、アクセス手段４を同一位置から即時移動させるもの全般において適用可能である。
【００４９】
【実施例】
以下、本発明に係る記録再生装置を、記録媒体として追記型の相変化型光ディスクを用いた記録再生装置に適用した実施例（以下、単に実施例に係る記録再生装置と記す）を図１〜図１２を参照しながら説明する。
【００５０】
この実施例に係る記録再生装置は、図１に示すように、先端に相変化型光ディスク（以下、単に光ディスクと記す）１が装着されるターンテーブル２を有し、このターンテーブル２に装着された光ディスク１をＣＬＶ（線速度一定）方式又はＣＡＶ（角速度一定）で一定方向に回転させるスピンドルモータ３と、この回転する光ディスク１に対して情報信号のアクセス（記録及び再生）を行なう光ヘッド４と、この光ヘッド４からの再生信号を復調して再生データとして外部に送出し、また外部からの供給された書込みデータを変調して光ヘッドに書き込み信号として供給する信号処理回路５を有する。
【００５１】
図２に示すように、光ディスク１は、内周部分にこの光ディスク１の属性、例えばＣＬＶやＣＡＶ等の回転制御方式、トラックピッチやトラック数などのトラックに関するデータ、即ちＴＯＣ（Table of Contents ）データが、相変化材料層ではなく、コンパクトディスクと同様に凹凸によるピット情報として記録されており、このＴＯＣデータが記録されたシステム領域ａを除いた部分に相変化材料層が形成されてユーザー使用領域ｂとして割り付けられている。
【００５２】
光ヘッド４は、例えばリニアモータとガイド軸を主体とする光ヘッド用スライド機構１１によって光ディスク１の径方向に移動可能とされ、その内部に少なくともレーザ光の光源である半導体レーザ（図示せず）と、この半導体レーザから出射されたレーザ光Ｌを光ディスク１の相変化材料層（記録層）に集光させる対物レンズ１２と、半導体レーザから出射されたレーザ光Ｌの光ディスク１での反射光を検出して電気信号に変換する光検出器（図示せず）と、上記反射光を半導体レーザからの出射光と空間的に分離するビームスプリッタ（図示せず）を有して構成されている。
【００５３】
上記光ヘッド４の対物レンズ１２は、簡単な構成の二次元アクチュエータ１３によって、光ディスク１と垂直な方向及び光ディスク１の径方向にそれぞれ微小範囲で移動可能とされている。この二次元アクチュエータ１３は、例えばフォーカス・コイル、トラッキング・コイル及びマグネット（共に図示せず）からなる磁気回路を有する。
【００５４】
信号処理回路５は、光ヘッド４における上記光検出器からの再生信号を増幅する再生用ＲＦアンプ２１と、このＲＦアンプ２１からの再生増幅信号を復調し、更にエラー訂正等の復号化処理を行なってディジタルの再生データに変換する復調回路２２と、外部から供給された記録用データを例えばＥＦＭ変調し、更にピット記録用情報としての二値化信号に変換する変調回路２３と、スピンドルモータ３、二次元アクチュエータ１３及び光ヘッド用スライド機構１１に対してそれぞれサーボ信号を出力し、これらに対してサーボ制御を行なうサーボ制御回路２４と、これらに対して各種制御を行なうシステムコントローラ２５とを有する。また、この信号処理回路５は、システムコントローラ２５からの制御信号に基づいて、光ヘッド４における半導体レーザの光出力を制御するレーザ光制御回路（ＡＰＣ）２６を有する。
【００５５】
そして、上記実施例に係るサブシステムＣが最大で例えば７組用意され、各サブシステムＣには、インターフェイスバスコントローラ付きの記録再生装置Ａと、ローカルバス付きの記録再生装置Ｂとがあり、記録再生装置Ａには記録再生装置Ｂが７台まで接続可能となっている。つまり、記録再生装置Ａと、該記録再生装置Ａ下の複数台の記録再生装置Ｂで１つのサブシステムＣを構成している。そして、これら複数台の記録再生装置からなるサブシステムＣがインターフェイスバス（例えばＳＣＳＩ：Small Computer Systems Interface）３１を介して、これら複数組のサブシステムＣを集中的に監視・制御するホストコンピュータ３２に電気的に接続された記録再生装置システムとなっている。
【００５６】
図３に示すように、インターフェイスコマンドコントローラ４３は、その内部に各種プログラムが登録されたプログラムメモリ３３と、このプログラムメモリ３３から読み出されたプログラムの動作領域として使用され、更に作成されたデータテーブル（ファイル）の格納領域として用いられる動作用ＲＡＭ３４と、プログラムメモリ３３にＳｔｏｒｅされたプログラムのアルゴリズムに沿ってデータの加工及び判別を行なう演算部３５と、これらメモリ３３及び３４や演算部３５等の制御を行なう制御部３６を有する検出手段４４が組み込まれている。
【００５７】
次に、上記記録再生装置システムとそれぞれの記録再生装置の動作及び信号処理について説明する。この説明においては、ホストコンピュータ３２に８台の記録再生装置からなるサブシステム一組が接続されているものとし、更に各記録再生装置に光ディスク１が装着されている状態から説明を行なう。
【００５８】
まず、個々の記録再生装置において、光ディスク１のシステム領域ａ（図２参照）に記録されているＴＯＣデータが光ヘッド４にて読み出される。システムコントローラ２５は、ＴＯＣデータに基づいて当該光ディスク１のフォーマット、例えばＣＬＶ方式のフォーマットであるか又はＣＡＶ方式のフォーマットであるかを検出し、それぞれ対応する回転方式の情報信号をサーボ制御回路２４に供給する。
【００５９】
サーボ制御回路２４は、システムコントローラ２５からの情報信号及びスピンドルモータ３からの回転数に関するタイミング信号に基づいて、サーボ信号を作成してスピンドルモータ３に供給する。スピンドルモータ３は、サーボ制御回路２４からのサーボ信号に基づいてその回転駆動が制御され、光ディスク１はＣＬＶ方式又はＣＡＶ方式にて安定に回転駆動される。
【００６０】
この状態から、例えば光ディスク１に対する追記（１回書込み）について説明すると、例えばホストコンピュータ３２内の動作用ＲＡＭ３４に格納されたデータがインターフェイスバス３１を介して書込み対象の記録再生装置に供給される。
【００６１】
この例において、書込み対象の記録再生装置を選択する方式としては、例えばホストコンピュータ３２からそれぞれ８台の記録再生装置に接続されたインターフェイスバスを通して書込み対象となる記録再生装置に書込み要求信号を出力し、更に、制御データの先頭部分に各記録再生装置に対応したデバイス番号をコードとして挿入した選択用データを送出する。インターフェイスコマンドコントローラ４３がこのコードを読み出して、システムコントローラ２５及びデバイスローカルバス４５を経由して各システムコントローラ２５に再度送出する。そして、各システムコントローラ２５内においてそれぞれの記録再生装置に割り付けられたデバイス番号と照合し、デバイス番号が合致した記録再生装置のみがシステムコントローラ２５を介してホストコンピュータ３２からの書込みデータを取り込むという方法を採用している。
【００６２】
書込み対象として選択された記録再生装置は、ホストコンピュータ３２からのデータをインターフェイスコマンドコントローラ４３とシステムコントローラ２５を介して変調回路２３に供給する。このとき、システムコントローラ２５は、レーザ光制御回路（ＡＰＣ）２６に対して記録用のレーザ出力に設定するための制御信号を出力する。レーザ光制御回路２６は、システムコントローラ２５からの上記制御信号の入力に基づいて、レーザ出力の比較用基準レベルを記録用の出力レベルに変更し、レーザ出力を記録用の出力に安定させる。
【００６３】
また、システムコントローラ２５は、供給されたデータのトラックアドレスデータに基づいて、光ヘッド４の移動量を示す信号を作成して光ヘッド用スライド機構１１に供給する。光ヘッド用スライド機構１１は、入力された上記信号に基づいて光ヘッド４を移動させて対応するトラックに位置させる。そして、該当トラックにホストコンピュータ３２から供給されたデータを光ヘッド４を介して記録する。
【００６４】
そして、ホストコンピュータ３２から順次送られてくる書込みデータを対応する光ディスク１の該当トラックにそれぞれ光ヘッド４を介して順次記録する。ホストコンピュータ３２から送られてくる書込みデータは、ユーザーがホストコンピュータ３２を用いて、あるいは外部のソースデータに基づいてホストコンピュータ３２にて作成したデータであり、これらの書込みデータは、光ディスク１のユーザー使用領域ｂ（図２参照）に記録される。これら光ディスク１のユーザー使用領域ｂに記録されたデータは、ホストコンピュータ３２の例えば拡張ＲＯＭデータとして使用されることになる。つまり、各記録再生装置は、ホストコンピュータ３２の補助記憶装置（拡張ＲＯＭ）として使用されることになる。
【００６５】
各光ディスク１に記録されるデータの具体例としては、例えばゲームソフトやワープロソフト等を動作させた場合において、ＣＲＴに表示される背景画像データやキャラクタデータもしくは辞書データなどである。
【００６６】
次に、追記された光ディスク１に対して再生を行なう動作及び信号処理について説明する。まず、データの読出しに先立って、システムコントローラ２５は、レーザ光制御回路２６に対して再生用のレーザ出力に設定するための制御信号を出力する。レーザ光制御回路２６は、システムコントローラ２５からの上記制御信号の入力に基づいて、レーザ出力の比較用基準レベルを再生用の出力レベルに変更し、レーザ出力を再生用の出力に安定させる。
【００６７】
そして、例えばホストコンピュータ３２に接続されている例えばキーボード等の入力手段４１にて操作者がゲームソフトやワープロソフト等を実行させた場合に、その際必要とされるテキストデータ、グラフィックデータ等が光ディスク１に書き込まれており、それをホストコンピュータ３２が読み出すために、例えばＳＣＳＩのＲＥＡＤコマンドのような命令をインターフェイスコマンドコントローラ４３に与えると、該コントローラ４３はプログラムメモリ３３内のプログラムに従ってこれを解釈実行し、光ディスク１内のデータが動作用ＲＡＭ３４に格納され、最終的にインターフェイスバス３１を経由してホストコンピュータ３２に送られる。
【００６８】
このプログラムの実行中において、例えば拡張ＲＯＭデータの読出しが要求され、オペレーションシステム（ＯＳ）を通じ、該当する記録再生装置に対してデータの読出しが要求される。この要求は、データ読出し要求を示すコードと記録再生装置のデバイス番号及び読出しアドレスを伴ったデータをインターフェイスバスを介して８台の記録再生装置に供給することによって行なわれる。
【００６９】
この読出し要求においては、読出し要求対象の記録再生装置に対してデータの読出しがあった段階において、システムコントローラ２５内のカウンタに３秒を示す時間データがセットされる。そして、このカウンタは、タイマー４２からのクロック信号の入力に基づいて時間データを減算し、時間データが０になった段階で、システムコントローラ２５の制御部にキャリー信号を出力する。システムコントローラ２５の制御部は、カウンタからのキャリー信号の入力に基づいて、サーボ制御回路２４に対し、移動に関する制御信号を出力する。
【００７０】
サーボ制御回路２４は、システムコントローラ２５からの制御信号の入力に基づいて、光ヘッド用スライド機構１１に対して、光ヘッド４をホーム位置、例えばＴＯＣデータが記録されているシステム領域ａの所定トラック（ディフェクトマネージメントに関するデータの予備スペースとして使用されるトラックなど：図２において斜線で示す領域ｃ）に移動させるためのサーボ信号を出力する。即ち、ユーザーデータ等の記録領域ではないエリアをホーム位置ｃとして設定する。但し、次のアクセスに移れるよう、アドレスが記録されているエリアであることが好ましい。光ヘッド用スライド機構１１は、このサーボ信号の入力に基づいて、光ヘッド４をホーム位置ｃに移動させる。
【００７１】
この一連の動作は、前回のアクセス（読出し要求）から３秒経過しても、次回のアクセスがない場合に、光ヘッド４をホーム位置ｃに移動させることであり、前回のアクセスから３秒以内に次のアクセスがあった場合、ホーム位置ｃに移動することなく、アクセス対象のトラック上に移動することになる。また、アクセス要求ごとにシステムコントローラ２５内のカウンタに３秒を示す時間データが登録されることになる。
【００７２】
そして、本実施例においては、上記拡張ＲＯＭデータの読出し要求に伴って、プログラムメモリ３３からアクセス頻度計数プログラムが読み出され、該プログラムが実行される。
【００７３】
ここで、上記アクセス頻度計数プログラムの処理ルーチンについて、図４〜図７のフローチャート及び図８の各種テーブル情報を参照しながら説明する。
【００７４】
このアクセス頻度計数プログラムの実行にあたっては、動作用ＲＡＭ３４における所定の配列変数領域（データ格納用として使用される領域）に２つのデータテーブル、１つのカウントファイル、１つのＦＩＦＯ（first-in first-out）方式のラッチ領域及び１つの頻度検出フラグが論理的に割り付けられる。
【００７５】
１つ目のデータテーブルは、図８（ａ）に示すように、アクセス頻度計数テーブル：ＡＣＳＴＢＬであり、８台の記録再生装置に対応して８つのファイル（ＡＣＳＦＩＬ＃０〜ＡＣＳＦＩＬ＃７）から構成されている。各ファイルは６４個のレコード（ＡＣＳＲＣＤ＃０〜ＡＣＳＲＣＤ＃６３）から構成され、各レコードは４バイト構成となっている。各レコードＡＣＳＲＣＤの内訳は、先頭の１バイト目にアクセス回数データＣＮＴが格納され、残りの３バイトにトラックアドレスデータＬＢＡが格納されるようになっている。なお、このアクセス頻度計数テーブル（ＡＣＳＴＢＬ）の記録容量は、８ファイル×６４レコード×４バイト＝２０４８バイトである。
【００７６】
２つ目のデータテーブルは、図８（ｂ）に示すように、最大アクセス情報テーブル：ＭＡＸＴＢＬであり、８台の記録再生装置に対応して８つのレコード（ＭＡＸＲＣＤ＃０〜ＭＡＸＲＣＤ＃７）から構成されている。各レコードＭＡＸＲＣＤは、上記アクセス頻度計数テーブル（ＡＣＳＴＢＬ）の各レコードＡＣＳＲＣＤと同じ４バイト構成で、かつその内訳は、先頭の１バイト目にアクセス回数データＣＮＴが格納され、残りの３バイトにトラックアドレスデータＬＢＡが格納されるようになっている。なお、この最大アクセス情報テーブル（ＭＡＸＴＢＬ）の記録容量は、８レコード×４バイト＝３２バイトである。
【００７７】
カウントファイルは、図８（ｃ）に示すように、アクセス回数を計数するためのデータファイル：ＴＴＬＣＮＴであり、８台の記録再生装置に対応して８つのレコード（ＴＴＬＲＣＤ＃０〜ＴＴＬＲＣＤ＃７）から構成されている。各レコードＴＴＬＲＣＤは、１バイト構成で、それぞれアクセス回数データＣＮＴの更新用として使用される。従って、このカウントファイル（ＴＴＬＣＮＴ）の記録容量は８バイトである。
【００７８】
ＦＩＦＯ方式のラッチ領域は、図示しないが、例えばこのアクセス頻度計数プログラムよりも優先度の高いプログラムによって、それぞれ読出し要求のあったデバイス番号ＤＮＯとトラックアドレスデータＬＢＡからなる対のデータが順次格納されるようになっている。そして、これらラッチ領域に格納されたデバイス番号ＤＮＯとトラックアドレスデータＬＢＡが、プログラムの実行ごとに先頭番地にシフトアップされ、デバイス番号ＤＮＯ及びトラックアドレスＬＢＡの判別用として使用される。
【００７９】
頻度検出フラグ：ＡＣＳＦＬＧは、図８（ｄ）に示すように、１バイト構成となっており、８台の記録再生装置に対応して１ビットずつ割り当てられ、「１」がアクセス頻度の最も高いトラックアドレス登録、「０」が未登録をそれぞれ示す。
【００８０】
このアクセス頻度計数プログラムは、ホストコンピュータ３２が各記録再生装置に対してアクセスし、読出し対象のデバイス番号ＤＮＯに対応した記録再生装置における光ディスク１の読出し要求アドレスからデータを読み出した後に、逐次起動されることになる。
【００８１】
このプログラムの処理順序を説明すると、図４〜図６のフローチャート（メインルーチン）に示すように、まず、読出し要求対象のデバイス番号ＤＮＯ及びトラックアドレスデータＬＢＡをラッチ領域の先頭番地から読み出して、プログラム上で定義された第１及び第２のインデックスレジスタＲ１及びＲ２にそれぞれセットする（ステップＳ１）。次に、プログラム上で定義され、ポイント数が格納される第３のインデックスレジスタＲ３に初期値（この例では零（０））を格納する（ステップＳ２）。
【００８２】
次に、第１のインデックスレジスタＲ１に格納されているデバイス番号ＤＮＯをインデックスとして、アクセス頻度計数テーブル（ＡＣＳＴＢＬ）のうち、デバイス番号ＤＮＯに対応するファイルＡＣＳＦＩＬを選択する（ステップＳ３）。その後、第３のインデックスレジスタＲ３に格納されているポイント数をインデックスとして該当ファイルからポイント数に対応したレコードＡＣＳＲＣＤを選択する（ステップＳ４）。
【００８３】
次に、選択したレコードＡＣＳＲＣＤに登録データがあるか否か判別する（ステップＳ５）。この判別は、選択したレコードＡＣＳＲＣＤの先頭バイトの数値、即ちアクセス回数データＣＮＴが０か、あるいは０でないかで判別する。アクセス回数データＣＮＴが０でない場合、登録データ有りとして次のステップＳ６に進む。ここで、選択したレコードＡＣＳＲＣＤの先頭バイトの数値だけを見ることで登録データの有無を検出できるのは、レコードＡＣＳＲＣＤがＭＡＸＲＣＤ＃０から登録されているからである。
【００８４】
ステップＳ６においては、第２のインデックスレジスタＲ２に格納されているトラックアドレスデータＬＢＡと選択したレコードＡＣＳＲＣＤに登録されているトラックアドレスデータＬＢＡが同じか否かを判別する。同じでない場合、次のステップＳ７に進み、第３のインデックスレジスタＲ３に格納されているポイント数に１を加え更新する。
【００８５】
次に、選択したファイルＡＣＳＦＩＬに関するすべてのレコードＡＣＳＲＣＤについて登録データの確認を行なったかどうかの判別を行なう（ステップＳ８）。この判別は、第３のインデックスレジスタＲ３に格納されているポイント数が６４になった否かで判別が行なわれる。ポイント数が６４に達していない場合は、ステップＳ４に戻って更新されたポイント数に対応したレコードを選択し、その後、上記ステップＳ５以降の処理を行なう。
【００８６】
上記ステップＳ５において、選択されたレコードＡＣＳＲＣＤに登録データがない場合は図５で示すステップＳ９に進み、第３のインデックスレジスタＲ３内のポイント数＝０であるかが判別される。ポイント数＝０である場合、選択されたファイルＡＣＳＦＩＬにおける全レコードＡＣＳＲＣＤに登録データがない場合を示すもので、ステップＳ１０に進む。ここで、ファイルＡＣＳＦＩＬには、ＡＣＳＲＣＤ＃０からデータが登録されるようになされているため、インデックスレジスタＲ３が「０」で登録データがない場合、全レコードＡＣＳＲＣＤに登録データがないことになる。
【００８７】
ステップＳ１０においては、第１のインデックスレジスタＲ１内のデバイス番号ＤＮＯをインデックスとして、最大アクセス情報テーブルＭＡＸＴＢＬのうち、デバイス番号ＤＮＯに対応するレコードを選択する。次いで、選択されたレコードの先頭バイトの内容が０であるかどうかが判別される（ステップＳ１１）。０である場合、読出し要求対象の記録再生装置においては、アクセス回数が最大のトラックアドレスがまったく決定されていないものとして判別され、次のステップＳ１２に進んで、頻度検出フラグ（ＡＣＳＦＬＧ）の該当ビット（即ち、デバイス番号ＤＮＯに対応したビット）をリセットする。
【００８８】
その後、上記アクセス頻度計数テーブル（ＡＣＳＴＢＬ）から選択されたレコードＡＣＳＲＣＤに第２のインデックスレジスタＲ２に格納されている読出し要求のあったトラックアドレスデータＬＢＡを登録する（ステップＳ１３）。その後、そのレコードＡＣＳＲＣＤの先頭バイトにアクセス回数データＣＮＴとして「１」を登録する（ステップＳ１４）。
【００８９】
一方、上記ステップＳ９において、ポイント数が０でないのは、選択された登録済みのレコードＡＣＳＲＣＤにおけるトラックアドレスデータＬＢＡと読出し要求のトラックアドレスデータは一致しないが、登録データのないレコードが存在する場合である。この場合は、そのままステップＳ１３以降の処理に進み、選択されたレコードＡＣＳＲＣＤに第２のインデックスレジスタＲ２に格納されている読出し要求のあったトラックアドレスデータＬＢＡを登録した後、そのレコードＡＣＳＲＣＤの先頭バイトにアクセス回数データＣＮＴとして「１」を登録する。
【００９０】
他方、図４のステップＳ６において、第２のインデックスレジスタＲ２に格納されているトラックアドレスデータＬＢＡと選択したレコードＡＣＳＲＣＤに登録されているトラックアドレスデータＬＢＡが同じである場合、ステップＳ１５に進み、選択したレコードＡＣＳＲＣＤにおける先頭バイト内のカウント回数ＣＮＴに１を加え更新する。
【００９１】
上記ステップＳ１４又は上記ステップＳ１５の処理が終了した後、次のステップＳ１６に進み、第１のインデックスレジスタＲ１内のデバイス番号ＤＮＯをインデックスとして、カウントファイル（ＴＴＬＣＮＴ）のうち、デバイス番号ＤＮＯに対応するレコードを選択する。その後、この選択したレコードＴＴＬＲＣＤ内のアクセス回数ＣＮＴに１を加え更新する（ステップＳ１７）。
【００９２】
次に、ステップＳ１８において、当該デバイス番号ＤＮＯに対応する記録再生装置へのアクセスが６４回分終了したかどうかが判別される。この判別は、上記カウントファイル（ＴＴＬＣＮＴ）のうち、ステップＳ１６にて選択したレコードＴＴＬＲＣＤ内の値が６４以上であるかどうかで判別される。この値が６４以上である場合、次のステップＳ１９に進んで最大アクセス頻度検出サブルーチンに入る。
【００９３】
この最大アクセス頻度検出サブルーチンは、図７に示すように、まず、プログラム上で定義された第４のインデックスレジスタＲ４にインデックスポイント数として初期値＝０をセットし（ステップＳ１０１）、更に、同じくプログラム上で定義された最大値用レジスタＭＡＸＲに初期値＝０をセットする（ステップＳ１０２）。なお、この最大値レジスタＭＡＸＲは、４バイト構成となっており、先頭バイトに最大アクセス回数ＣＮＴが格納され、後ろの３バイトに最大アクセス頻度のトラックアドレスＬＢＡが格納されるようになっている。
【００９４】
次に、アクセス頻度計数テーブル（ＡＣＳＴＢＬ）のうち、上記ステップＳ３にて選択したファイルＡＣＳＦＩＬに関し、第４のインデックスレジスタＲ４内のポイント数をインデックスとして、該当ファイルＡＣＳＦＩＬからポイント数に対応したレコードＡＣＳＲＣＤを選択する（ステップＳ１０３）。
【００９５】
次に、選択したレコードＡＣＳＲＣＤが有効か無効かを判別する（ステップＳ１０４）。この判別は、選択したレコードＡＣＳＲＣＤの先頭バイトの数値、即ちアクセス回数データＣＮＴが０か、あるいは０でないかで判別する。アクセス回数データＣＮＴが０でない場合、有効であるとして次のステップＳ１０５に進む。
【００９６】
ステップＳ１０５においては、このレコードＡＣＳＲＣＤに登録されているアクセス回数が最大値用レジスタＭＡＸＲの先頭バイトの最大アクセス回数ＣＮＴよりも大きいかどうかを判別する。アクセス回数が大きい場合、次のステップＳ１０６に進んで、選択したレコードＡＣＳＲＣＤ内に登録されているトラックアドレスデータＬＢＡを、最大値用レジスタＭＡＸＲの後ろ３バイトの領域に格納する。その後、選択したレコードＡＣＳＲＣＤの先頭バイトのアクセス回数ＣＮＴを最大値用レジスタＭＡＸＲの先頭バイトの領域にオーバーライトする（ステップＳ１０７）。
【００９７】
次に、ステップＳ１０８において、第４のインデックスレジスタＲ４内のポイント数に１を加え更新する。その後、選択したファイルＡＣＳＦＩＬに関するすべてのレコードＡＣＳＲＣＤについて登録データの確認を行なったかどうかの判別を行なう（ステップＳ１０９）。この判別は、第４のインデックスレジスタＲ４に格納されているポイント数が６４になった否かで判別が行なわれる。ポイント数が６４に達していない場合は、ステップＳ１０３に戻って更新されたポイント数に対応したレコードＡＣＳＲＣＤを選択し、その後、上記ステップＳ１０４以降の処理を行なう。
【００９８】
ステップＳ１０５において、選択したレコードＡＣＳＲＣＤに登録されているアクセス回数ＣＮＴが最大値用レジスタＭＡＸＲの先頭バイトの最大アクセス回数ＣＮＴ以下の場合は、直接ステップＳ１０８に飛んで第４のインデックスレジスタＲ４内のポイント数に１を加え更新し、ステップＳ１０９以降の処理を行なう。
【００９９】
ステップＳ１０９において、第４のインデックスレジスタＲ４に格納されているポイント数が６４以上である場合は、このサブルーチンからメインルーチンに戻り、図６で示す次のステップＳ２０に進む。また、上記ステップＳ１０４において、選択したレコードＡＣＳＲＣＤが無効、即ち選択したレコードＡＣＳＲＣＤの先頭バイトが０である場合は、直接このサブルーチンを強制的に終了してメインルーチンのステップＳ２０に進む。
【０１００】
このステップＳ２０においては、図６に示すように、第１のインデックスレジスタＲ１内のデバイス番号ＤＮＯをインデックスとして、最大アクセス情報テーブル（ＭＡＸＴＢＬ）のうち、デバイス番号ＤＮＯに対応するレコードＭＡＸＲＣＤを選択する。
【０１０１】
次に、この選択したレコードＭＡＸＲＣＤに、最大値用レジスタＭＡＸＲの内容をそのままオーバーライトする（ステップＳ２１）。即ち、選択したレコードＭＡＸＲＣＤに最大アクセス回数ＣＮＴ及びその対象トラックアドレスＬＢＡを格納する。
【０１０２】
次に、アクセス頻度計数テーブル（ＡＣＳＴＢＬ）のうち、ステップＳ３にて選択したファイルＡＣＳＦＩＬの内容を全てクリアする（ステップＳ２２）。例えばファイルＡＣＳＦＩＬの全領域に０を格納する。その後、ステップＳ１６にて選択したカウントファイル（ＴＴＬＣＮＴ）のレコードＴＴＬＲＣＤ内に初期値＝０を格納する（ステップＳ２３）。その後、ステップＳ２４にて頻度検出フラグ（ＡＣＳＦＬＧ）の該当ビット（即ち、デバイス番号ＤＮＯに対応したビット）をセットして、このアクセス頻度計数プログラムの処理ルーチンが終了する。
【０１０３】
一方、ステップＳ１８において、カウントファイル（ＴＴＬＣＮＴ）のうち、ステップＳ１６にて選択したレコードＴＴＬＲＣＤ内の値が６４よりも小さい場合、最大アクセス頻度の検出に必要なデータは揃っていないとして、ステップＳ１９以降の処理は行なわずに、直接このアクセス頻度計数プログラムの処理ルーチンが終了する。
【０１０４】
また、ステップＳ８においてポイント数が６４に達した場合は、選択したファイルＡＣＳＦＩＬに関するすべてのレコードＡＣＳＲＣＤについて登録データの確認を行なったが、今回アクセス要求のあったトラックアドレスは、ファイルＡＣＳＦＩＬ内に登録されていないため、そのまま上記アクセス頻度計数プログラムの処理ルーチンが終了することになる。
【０１０５】
このアクセス頻度計数プログラムは、ホストコンピュータ３２から８台の記録再生装置に対してアクセス（読出し）要求があった後に、逐次起動されるものであり、アクセス要求が頻繁にあった場合、そのアクセス要求に関する情報（アクセス要求のあったデバイス番号ＤＮＯとトラックアドレスデータＬＢＡからなる対のデータ）が、一旦、ＦＩＦＯ方式のラッチ領域に格納され、上記アクセス頻度計数プログラムの起動ごとに上記ラッチ領域から順次アクセス要求に関する情報が取り出されて処理されることになる。
【０１０６】
上記アクセス頻度計数プログラムの処理を総括的に説明すると、該プログラムは、システムコントローラ２５によるホストコンピュータ３２からのアクセス要求の実行後、そのアクセス要求のあったトラックアドレスをアクセス頻度計数テーブル（ＡＣＳＴＢＬ）に登録していく。具体的には、アクセス回数データＣＮＴとトラックアドレスデータＬＢＡを書き込む。この書込み処理において、上記テーブル（ＡＣＳＴＢＬ）にすでにトラックアドレスが登録されていれば、そのトラックアドレスに関するアクセス回数データＣＮＴを更新登録する。この登録は、ポイント数の更新とともに行なわれる。なお、上記テーブル（ＡＣＳＴＢＬ）は１ファイルにつき、６４のレコードが論理的に割り付けられているため、最大６４種類の異なるトラックアドレスが登録可能である。
【０１０７】
そして、ポイント数が６４に達した段階で、最大のアクセス回数を有するトラックアドレスと該アクセス回数を最大アクセス情報テーブル（ＭＡＸＴＢＬ）に登録する。これで過去６４回のアクセス中、最もアクセス頻度の高いトラックアドレスが登録されたことになる。
【０１０８】
このとき、上記プログラムによる処理によって、アクセス頻度計数テーブル（ＡＣＳＴＢＬ）の内容がクリアされるが、これは、次のアクセスから再び計数が最初から始まることを意味する。この方法によれば、アクセスの周期や順序に関係なく、常にアクセス頻度が最大であるトラックアドレスを検出することができる。しかも、過去６４ポイントが対象となるため、アクセス頻度の高いトラックアドレスが変化してもすぐに対応できるという利点がある。
【０１０９】
次に、上記アクセス頻度計数プログラムにて最もアクセス頻度の高いトラックアドレスを検出した場合におけるシステムコントローラ２５によるアクセス動作について説明する。
【０１１０】
いま、ホストコンピュータ３２から８台の記録再生装置に対してアクセス（読出し）要求が出される際、例えば図９で示すアクセス要求情報（ＡＣＳＩＮＦ）に頻度検出情報ＩＮＦが挿入されて、各記録再生装置に対してアクセスが要求されることになる。なお、アクセス要求情報（ＡＣＳＩＮＦ）としては、図示するように、先頭部分から順に、同期情報ＳＹＣ，デバイス番号ＤＮＯ，頻度検出情報ＩＮＦ，トラックアドレスデータＬＢＡ，セクタアドレスデータＳＢＡ，読出しレコード長（セクタ長）ＬＥＮＧＴＨから構成される。
【０１１１】
上記頻度検出情報ＩＮＦの挿入処理の一例を図１０のフローチャートに示す。このフローチャートにおいて、まず、アクセス要求の対象となる記録再生装置に関し、アクセス頻度の高いトラックアドレスが登録されているかどうかが判別される（ステップＳ２０１）。この判別は、図８（ｄ）で示す頻度検出フラグ（ＡＣＳＦＬＧ）のうち、アクセス要求のあるデバイス番号ＤＮＯに対応したビットが「１」であるか又は「０」であるかによって判別される。
【０１１２】
ここで、対象ビットが「１」で、アクセス頻度の高いトラックアドレスが登録されている場合は、次のステップＳ２０２に進んで、アクセス要求のトラックアドレスが、最大アクセス情報テーブル（ＭＡＸＴＢＬ）の該当レコードＭＡＸＲＣＤに登録されているトラックアドレスと同じかどうかが判別される。同じである場合は、ステップＳ２０３に進んで、頻度検出情報ＩＮＦとして「１」を登録し、異なる場合は、ステップＳ２０４に進んで、頻度検出情報ＩＮＦとして「０」を登録する。
【０１１３】
その後、ステップＳ２０５に進んで、上記登録された頻度検出情報ＩＮＦを図９で示すアクセス要求情報に挿入して終了する。
【０１１４】
一方、ステップＳ２０１において、アクセス要求の対象となる記録再生装置に関し、アクセス頻度の高いトラックアドレスが登録されていない場合、即ち、図８（ｄ）で示す頻度検出フラグ（ＡＣＳＦＬＧ）のうち、アクセス要求のあるデバイス番号ＤＮＯに対応したビットが「０」である場合、ステップＳ２０６に進んで、頻度検出情報ＩＮＦとして「０」を登録する。その後、ステップＳ２０５以後の処理を行なう。
【０１１５】
上記頻度検出情報ＩＮＦの挿入処理が終了すると、作成されたアクセス要求情報（ＡＣＳＩＮＦ）をインターフェイスバス３１を通して各記録再生装置に送出する。
【０１１６】
次に、各記録再生装置の処理動作について図１１のフローチャートに基づいて説明する。まず、各記録再生装置は、インターフェイスバス３１に送出された上記アクセス要求情報（ＡＣＳＩＮＦ）を一旦、システムコントローラ２５内のＲＡＭに取り込む（ステップＳ３０１）。そして、自己の記録再生装置が、今回のアクセス要求の対象機器かを判別する（ステップＳ３０２）。この判別は、システムコントローラ２５のＲＯＭ内に登録されている記録再生装置のデバイス番号ＤＮＯとインターフェイスバス３１を介して供給されたアクセス要求情報（ＡＣＳＩＮＦ）内のデバイス番号ＤＮＯとを比較することにより行なわれる。
【０１１７】
そして、アクセス要求情報（ＡＣＳＩＮＦ）内のデバイス番号ＤＮＯと一致した記録再生装置のみがアクセス要求の対象機器となり、該当装置のシステムコントローラ２５は、上記ＲＡＭに取り込んだアクセス要求情報（ＡＣＳＩＮＦ）にしたがって、光ディスク１から要求情報に適合するデータを読み出す（ステップＳ３０３）。このデータの読出し処理において、まず、光ヘッドが現在どのトラック上にあるかを知るために、一旦、光ヘッド４にて光ディスク１上のデータを読み出し、この読み出したデータからアドレスに関するデータを抽出し、システムコントローラ２５に供給する。システムコントローラ２５は、この読み出したアドレスとアクセス要求のアドレスとを比較して、その移動量を算出する。
【０１１８】
その後、上記算出した移動量データをサーボ制御回路２４に供給して、光ヘッド４をアクセス要求のあったトラックに位置させ、同時にそのトラックにおけるデータをアクセス要求情報（セクタアドレス及びレコード長）に基づいて読み出す。この光ヘッド４にて読み出されたデータは、復調回路２２にて所定の再生データに変換され、インターフェイスバス３１を通してホストコンピュータ３２に供給される。
【０１１９】
その後、システムコントローラ２５内のカウンタに３秒を示す時間データをセットする（ステップＳ３０４）。
【０１２０】
その後、システムコントローラ２５は、ＲＡＭに取り込まれたアクセス要求情報（ＡＣＳＩＮＦ）内の頻度検出情報ＩＮＦに基づいて、いまアクセスしたトラックがアクセス頻度の最も高いトラックであるかを判別する（ステップＳ３０５）。この判別は、頻度検出情報ＩＮＦの内容が「１」であるか、あるいは「０」であるかを検出することにより行なわれる。
【０１２１】
上記判別において、いまアクセスしたトラックがアクセス頻度の最も高いトラックである場合、即ち頻度検出情報ＩＮＦの内容が「１」である場合、次のステップＳ３０６に進んで乱数を発生させる。この乱数は、光ヘッド４における対物レンズ１２の視野内に入るトラック数、即ち、二次元アクチュエータ１３のトラッキング・コイルとマグネットによる対物レンズ１２の動作範囲（図２において、斜線で示す領域ｄ）である。なお、この例では、±５０トラックであることから±５０の範囲のうち、任意の数値が発生するようになっている。
【０１２２】
これに対し、いまアクセスしたトラックがアクセス頻度の最も高いトラックでない場合、ステップＳ３０８に進む。
【０１２３】
ステップＳ３０７において、システムコントローラ２５は、発生した乱数が示す数値のトラック上に対物レンズ１２の焦点が合致するように、サーボ制御回路２４にサーボ信号を出力して、二次元アクチュエータ１３を動作させる。この二次元アクチュエータ１３による励磁駆動によって、対物レンズ１２は、該当トラック上にその焦点が合致するまで１ｍｓｅｃ／１トラックの時間でトラック配列方向に僅かに移動することとなる。
【０１２４】
そして、ステップＳ３０８において、アクセス要求があったか否かを判別する。ここで、アクセス要求があった際には、そのままこの処理を終了し、次のアクセス要求に応じた処理を行なう。
【０１２５】
これに対し、アクセス要求が無かった際には、ステップＳ３０９に進み、ステップＳ３０４でセットした時間が経過したか否かを判別する。ここで、所定時間経過していないときには、ステップＳ３０６に戻り、再び乱数を発生させる。これに対し、所定時間経過した際、即ち前回のアクセスから３秒経過した際には、ステップＳ３１０に進み、光ヘッド４をホーム位置ｃ（図２参照）に移動させてこの処理を終了する。
【０１２６】
なお、上記実施例においては、ステップＳ３０９を設け、カウンタからの３秒経過に伴う割り込みも判別対象としたが、このステップＳ３０９を削除し、次回のアクセス要求に伴う割り込み、即ちステップＳ３０８のみを割り込みの判別対象としてもよい。この場合には、ステップＳ３０９及びステップＳ３１０の処理を省略し、ステップＳ３０８で否定結果が得られた際に直接ステップＳ３０６に戻るようにすればよい。
【０１２７】
このように、本実施例に係る記録再生装置においては、アクセス頻度の高いトラックへのアクセス要求があった場合に、該トラックへのアクセス終了後において、光ヘッド４を一定時間、そのトラック上に停止させることはせず、±５０トラックの範囲ｄ内における任意のトラックに小刻みに移動させるようにしたので、例えばカウンタからの３秒経過に伴うタイマー割り込み、あるいは次回のアクセス要求に伴う割り込みがあるまで、アクセス頻度の最も高いトラックの周辺を光ヘッド４が揺動することになる。
【０１２８】
従って、光ヘッド４から出射されたレーザ光Ｌの同一位置への長時間照射に伴う光ディスク１の蓄熱を事前に回避することができる。即ち、光ヘッド４から出射されたレーザ光Ｌが、アクセス頻度の最も高いトラックの周辺を照射することになり、同一トラックへの集中照射が回避され、しかも、アクセス頻度の最も高いトラックを中心として周辺トラックへの移動を乱数によって決定するようにしているため、周辺トラックへのレーザ光Ｌの振り分けを均等に行なうことができる。このことから、レーザ光Ｌによる熱の発生を周辺トラックにわたって分散させることができ、レーザ光Ｌの長時間照射に伴う蓄熱を防止することができる。
【０１２９】
また、アクセス頻度の最も高いトラックの周辺を光ヘッド４が揺動することから、光ヘッド４が頻繁にホーム位置ｃに戻る場合よりも、次のアクセスに対する光ヘッド４の移動、並びにこのアクセス頻度の高いトラックへのアクセスが速くなり、光ヘッド４でのアクセス速度の高速化が達成される。
【０１３０】
次に、図１２を参照して、本発明に係る記録再生装置の他の実施例を説明する。なお、この他の実施例において、ステップＳ４０１からステップＳ４０７までの処理は、図１１に示す上記実施例と同様の処理であるため、その説明を省略する。
【０１３１】
この他の実施例において、ステップＳ４０８で、アクセス要求があったか否かが判別される。ここで、アクセス要求があった際には、そのままこの処理を終了し、次のアクセス要求に応じた処理を行なう。これに対し、アクセス要求が無かった際には、ステップＳ４０９に進み、ステップＳ４０４でセットした時間が経過したか否かを判別する。
【０１３２】
ここで、所定時間が経過していないときには、ステップＳ４０８に戻り、再度アクセス要求があったか否かを判別する。そして、ステップＳ４０４でセットした時間が経過した際には、ステップＳ４１０に進み、光ヘッド４をホーム位置ｃに移動させてこの処理を終了する。
【０１３３】
この他の実施例の場合、最大アクセストラック以外の唯一のトラックが、３秒間アクセスされることになるが、そのトラックにそれほど大きな影響は加わらない。それよりも、３秒間以内に再度最大アクセストラックがアクセスされた際に短時間でアクセスできることが重要である。
【０１３４】
なお、３秒以内の間隔で連続して最大アクセストラックがアクセスされた際にも、光ヘッド４が近傍のトラックに移動されるので、従来のように、最大アクセストラックだけを連続してアクセスしてしまうことがない。
【０１３５】
また、上記例では、図１１及び図１２に示すフローチャートの処理を各システムコントローラ２５が行なうようにしたが、インターフェイスコマンドコントローラ４３が上記処理を行なうようにしてもよい。なお、この場合は、ステップＳ３０２及びステップＳ４０２の処理を対象機器の選択を行なう処理に置き換えればよい。
【０１３６】
上記例では、カウンタにセットするデータとして３秒を示す時間データとしたが、本実施例の場合、上述のように蓄熱の心配がほとんどないため、上記時間データの値を大きくすることができ、例えば４秒，６秒など任意の値を設定することができる。これによって、更に光ヘッド４によるアクセスの高速化を達成させることができる。
【０１３７】
なお、上記実施例においては、記録媒体として相変化型光ディスク１を用いた場合を示したが、その他記録媒体として光磁気ディスクを用いてもよい。この場合も、光磁気ディスクの蓄熱による膜の熱変化を事前に防止することができることになる。
【０１３８】
また、この実施例では、最大アクセストラックが１つしか設定できないようになされているが、複数個設けてもよいことはいうまでもない。但し、この最大アクセストラックは、更新されることと、２つ以上のトラックが共に長い時間最大アクセストラックである可能性は低いので大きな問題となる可能性は少ない。
【０１３９】
【発明の効果】
上述のように、請求項１記載の本発明に係る再生装置によれば、記録媒体から情報信号の読出しアクセスを行なうアクセス手段と、このアクセス手段の記録媒体の同一の記録単位領域に対するアクセス頻度を計数し、アクセス頻度の高い記録単位領域を検出する検出手段と、所定値範囲内の値を有する乱数を発生する乱数発生手段と、上記アクセス手段が上記検出手段によって検出されたアクセス頻度の高い記録単位領域をアクセスした後に、上記乱数発生手段で得た乱数に応じてアクセス手段を記録媒体上の他の記録単位領域へ即時に移動させる移動手段とを設けると共に、アクセス手段が情報信号の読出しのため記録単位領域をアクセスしてからの時間を計るタイマー手段を更に有し、移動手段は、タイマー手段が所定時間経過したことを検出した際に、アクセス手段を記録媒体のユーザーデータ領域以外の領域に移動させるようにしたので、アクセス手段は、同一位置に停止することがなくなり、例えばアクセス手段を光学的な手段とした場合に、光照射に伴う記録媒体への蓄熱が回避され、記録媒体の熱変形等を防止することができると共に、移動手段でのアクセス手段の移動範囲をアクセス頻度の高い記録単位領域を含む所定値範囲内としているため、アクセス頻度の高い記録単位領域を中心として疑似的に割り付けられた所定領域内で周辺に移動することになり、移動手段を簡単な構成を有するアクチュエータにて実現させることができ、構造の簡略化を達成させることができ、さらに、ユーザデータ領域へのアクセス手段の長時間の停止が防止されることになり、消費電力の低減化及びサーボ系の機械的寿命の長期間化を実現させることが可能となる。
【０１４２】
また、請求項２記載の本発明に係る再生装置によれば、上記構成において、上記乱数発生手段を、所定時間毎に乱数を発生させるようにし、上記移動手段を、上記乱数発生手段が乱数を発生する毎に、上記アクセス手段を上記乱数に基づく記録単位領域に移動させるようにしたので、次のアクセスに対するアクセス手段の移動、並びにこのアクセス頻度の高い記録単位領域へのアクセスが速くなり、アクセス手段４での情報信号の読出し速度の高速化が達成される。
【０１４３】
また、請求項３記載の本発明に係る再生装置によれば、上記構成において、上記検出手段を、アクセス頻度の最も高い記録単位領域のみを検出するようにしたので、アクセス手段は、アクセス頻度の最も高い記録単位領域にて停止することがなくなり、例えばアクセス手段を光学的な手段とした場合に、光照射に伴う記録媒体への蓄熱が回避され、記録媒体の熱変形等を防止することができる。
【０１４４】
また、請求項４記載の本発明に係る再生装置によれば、上記構成において、上記検出手段を、上記記録媒体に対して所定回数のアクセスが行なわれる毎に、アクセス頻度の高い記録単位領域を検出すると共にアクセス頻度計数がクリアされるようにしたので、アクセス手段は、アクセス頻度の高い記録単位領域にて停止することがなくなり、例えばアクセス手段を光学的な手段とした場合に、光照射に伴う記録媒体への蓄熱が回避され、記録媒体の熱変形等を防止することができる。また、アクセス手段がアクセス頻度の高い記録単位領域上で周辺に移動することになるため、次のアクセスに対するアクセス手段の移動、並びにこのアクセス頻度の高い記録単位領域へのアクセスが速くなり、アクセス手段での情報信号の読出し速度の高速化が達成されると共に、アクセス頻度の高いトラックアドレスが変化してもすぐに対応できる。
【０１４５】
次に、請求項５記載の本発明に係る記録装置によれば、記録媒体に対し、アクセスを行なって情報信号を記録するアクセス手段と、このアクセス手段の上記記録媒体の同一の記録単位領域に対するアクセス頻度を計数し、アクセス頻度の高い記録単位領域を検出する検出手段と、所定値範囲内の値を有する乱数を発生する乱数発生手段と、上記アクセス手段が上記検出手段によって検出された上記アクセス頻度の高い記録単位領域をアクセスした後に、上記乱数発生手段で得た乱数に応じて、上記アクセス手段を上記記録媒体上の他の記録単位領域へ即時に移動させる移動手段とを設けると共に、アクセス手段４が情報信号の記録のため記録単位領域をアクセスしてからの時間を計るタイマー手段４２を更に有し、移動手段１３は、タイマー手段４２が所定時間経過したことを検出した先に、アクセス手段４を記録媒体１のユーザーデータ領域以外の領域に移動させるようにしたので、アクセス手段は、同一位置に停止することがなくなり、例えばアクセス手段を光学的な手段とした場合に、光照射に伴う記録媒体への蓄熱が回避され、記録媒体の熱変形等を防止することができ、また、移動手段でのアクセス手段の移動範囲をアクセス頻度の高い記録単位領域を含む所定値範囲内としているため、アクセス頻度の高い記録単位領域を中心として疑似的に割り付けられた所定領域内で周辺に移動することになり、移動手段を簡単な構成を有するアクチュエータにて実現させることができ、構造の簡略化を達成させることができ、さらに、ユーザデータ領域へのアクセス手段の長時間の停止が防止されることになり、消費電力の低減化及びサーボ系の機械的寿命の長期間化を実現させることが可能となる。
【０１４８】
また、請求項６記載の本発明に係る記録装置によれば、上記構成において、上記乱数発生手段を、所定時間毎に乱数を発生させるようにし、上記移動手段を、上記乱数発生手段が乱数を発生する毎に、上記アクセス手段を上記乱数に基づく記録単位領域に即時に移動させるようにしたので、次のアクセスに対するアクセス手段の移動、並びにこのアクセス頻度の高い記録単位領域へのアクセスが速くなり、アクセス手段での情報信号のアクセス速度の高速化が達成される。
【０１４９】
次に、請求項７記載の本発明に係る情報アクセス方法によれば、記録媒体に対して情報のアクセスを行なう情報アクセス方法において、次のステップ、即ち、(a) 記録単位領域をアクセスする。(b) 記録媒体の同一の記録単位領域に対するアクセス頻度を計数し、アクセス頻度の高い記録単位領域を検出する。(c) ステップ(b) で検出されたアクセス頻度の高い記録単位領域がアクセスされたことを検出する。(d) 所定値範囲の値を有する乱数を発生する。(e) ステップ(b) で検出された上記アクセス頻度の高い記録単位領域をアクセスした後に、上記乱数に応じて、上記記録媒体上の他の記録単位領域へ即時に移動させる。(f) 所定時間経過したことを検出する。(g) ユーザーデータ領域以外の領域に移動させる。こととしたので、アクセス手段は、アクセス頻度の高い記録単位領域で停止することがなくなり、例えばアクセス手段を光学的な手段とした場合に、光照射に伴う記録媒体への蓄熱が回避され、記録媒体の熱変形等を防止することができ、また、移動手段１３でのアクセス手段４の移動範囲をアクセス頻度の高い記録単位領域を含む所定値範囲内としているため、アクセス頻度の高い記録単位領域を中心として疑似的に割り付けられた所定領域内で周辺に移動することになり、移動手段１３を簡単な構成を有するアクチュエータにて実現させることができ、構造の簡略化を達成させることができ、さらに、ユーザデータ領域へのアクセス手段４の長時間の停止が防止されることになり、消費電力の低減化及びサーボ系の機械的寿命の長期間化を実現させることが可能となる。
【図面の簡単な説明】
【図１】本発明に係る記録再生装置を記録媒体として追記型の相変化型光ディスクを用いた記録再生装置に適用した実施例（以下、単に実施例に係る記録再生装置と記す）と、８台の実施例に係る記録再生装置からなるサブシステムを７組、インターフェイスバスを介してホストコンピュータに接続させて構成された記録再生装置システムの構成を示すブロック図である。
【図２】本実施例に係る記録再生装置で使用される光ディスクの記録フォーマットの一例を示す説明図である。
【図３】本実施例に係る記録再生装置に接続されるインターフェイスコマンドコントローラの内部構成を概略的に示すブロック図である。
【図４】インターフェイスコマンドコントローラにて実行されるアクセス頻度計数プログラムのメインルーチンを示すフローチャート（その１）である。
【図５】インターフェイスコマンドコントローラにて実行されるアクセス頻度計数プログラムのメインルーチンを示すフローチャート（その２）である。
【図６】インターフェイスコマンドコントローラにて実行されるアクセス頻度計数プログラムのメインルーチンを示すフローチャート（その３）である。
【図７】アクセス頻度計数プログラム内で実行される最大アクセス頻度検出サブルーチンを示すフローチャートである。
【図８】アクセス頻度計数プログラムで使用されるファイル群のバイト割り付けを示す説明図である。
【図９】ホストコンピュータから各記録再生装置に送出されるアクセス要求情報（ＡＣＳＩＮＦ）のエリア割り付けの一例を示す説明図である。
【図１０】頻度検出情報ＩＮＦのアクセス要求情報（ＡＣＳＩＮＦ）への挿入処理ルーチンを示すフローチャートである。
【図１１】本発明の一実施例に係る記録再生装置の処理動作を示すフローチャートである。
【図１２】本発明の他の実施例に係る記録再生装置の処理動作を示すフローチャートである。
【符号の説明】
１  光ディスク（相変化型光ディスク）
２  ターンテーブル
３  スピンドルモータ
４  光ヘッド
５  信号処理回路
１１  光ヘッド用スライド機構
１２  対物レンズ
１３  二次元アクチュエータ
２１  再生用ＲＦアンプ
２２  復調回路
２３  変調回路
２４  サーボ制御回路
２５  システムコントローラ
２６  レーザ光制御回路
３１  インターフェイスバス
３２  ホストコンピュータ
ａ  システム領域
ｂ  ユーザー使用領域
ｃ  ホーム位置
ｄ  二次元アクチュエータによる対物レンズの移動範囲（視野内範囲）
３３  プログラムメモリ
３４  動作用ＲＡＭ
３５  演算部
３６  制御部
４３  インターフェイスコマンドコントローラ
４４  検出手段
４５  デバイスローカルバス
Ａ  インターフェイスバス付き記録再生装置
Ｂ  ローカルバス付き記録再生装置
Ｃ  サブシステム
【図１】
0003707813.tif 000002
【図２】
0003707813.tif 000003
【図３】
0003707813.tif 000004
【図４】
0003707813.tif 000005
【図５】
0003707813.tif 000006
【図６】
0003707813.tif 000007
【図７】
0003707813.tif 000008
【図８】
0003707813.tif 000009
【図９】
0003707813.tif 000010
【図１０】
0003707813.tif 000011
【図１１】
0003707813.tif 000012
【図１２】
0003707813.tif 000013